(57)【要約】【課題】ホース巻取り機構を設ける必要がない人体局部洗浄装置を提供すること【解決手段】ベース部材１０に対し進退動可能に支持された洗浄ノズル２０と、水源からの水を供給可能な部位であって、洗浄ノズル２０の下側に位置する接続部４０と、一端が洗浄ノズル２０に接続されるとともに他端が接続部４０に接続され、当該一端と他端の間の少なくとも一部が湾曲した状態にあるホース３０と、を備え、洗浄ノズル２０を進退動させたときには、ホース３０の湾曲した部分の曲率が変化しながら、当該洗浄ノズル２０とともにそれに接続された当該ホース３０の一端が進退動するように構成されている人体局部洗浄装置１とする。【選択図】図５
2014221996.tif 000002
【特許請求の範囲】
【請求項１】
ベース部材に対し進退動可能に支持された洗浄ノズルと、
水源からの水を供給可能な部位である接続部と、
一端が前記洗浄ノズルに接続されるとともに他端が前記接続部に接続され、当該一端と他端の間の少なくとも一部が湾曲した状態にあるホースと、
を備え、
前記洗浄ノズルを進退動させたときには、前記ホースが幅方向に直交する平面に沿った状態を維持しつつその湾曲した部分の曲率を変化させながら、当該洗浄ノズルとともにそれに接続された当該ホースの一端が進退動するように構成されていることを特徴とする人体局部洗浄装置。
【請求項２】
駆動源によって回転する歯車に噛み合うラックであって、一端側が前記洗浄ノズルに固定され、当該洗浄ノズルに固定された部分よりも後方側に位置する部分の少なくとも一部が湾曲させられたフレキシブルラックを備え、
前記ベース部材には、前記フレキシブルラックの湾曲した部分が係合する係合溝が形成されており、
前記駆動源を駆動し、前記洗浄ノズルを進退動させたときには、前記フレキシブルラックが前記係合溝内をスライドしながら、当該洗浄ノズルとともにそれに接続されたホースの一端およびフレキシブルラックの一端が進退動するように構成されていることを特徴とする請求項１に記載の人体局部洗浄装置。
【請求項３】
前記係合溝は前記ベース部材に形成された壁部に沿って形成されており、
前記ホースは当該壁部の内周面より内側のホース収容空間内に配されていることを特徴とする請求項２に記載の人体局部洗浄装置。
【請求項４】
前記ベース部材には、前記係合溝および前記ホース収容空間を覆うカバー部材が固定されていることを特徴とする請求項３に記載の人体局部洗浄装置。
【請求項５】
駆動源によって回転する歯車に噛み合うラックであって、一端側が前記洗浄ノズルに固定され、当該洗浄ノズルに固定された部分よりも後方側に位置する部分の少なくとも一部が前記ホースに沿って湾曲させられたフレキシブルラックを備え、
前記駆動源を駆動し、前記洗浄ノズルを進退動させたときには、前記ホースの湾曲した部分とともに当該フレキシブルラックの湾曲した部分の曲率が変化しながら、当該洗浄ノズルとともにそれに接続されたホースの一端およびフレキシブルラックの一端が進退動するように構成されていることを特徴とする請求項１に記載の人体局部洗浄装置。
【発明の詳細な説明】
【技術分野】
【０００１】
本発明は、人体の局部を洗浄する洗浄ノズルを備えた人体局部洗浄装置に関するものである。
【背景技術】
【０００２】
このような人体局部洗浄装置として、下記特許文献１に記載のものが公知である。局部を洗浄する洗浄水を噴出する洗浄ノズルには、洗浄水を供給するためのホースが接続されている。洗浄ノズルが前進する際にはそれに合わせてホースを緩め、後退する際にはホースを巻き取る機構（以下、ホース巻取り機構と称する）が設けられている。
【先行技術文献】
【特許文献】
【０００３】
【特許文献１】特開２００６−２４９８６２号公報
【発明の概要】
【発明が解決しようとする課題】
【０００４】
上記特許文献１に記載の装置は、ホースの巻き取り機構を構築する各種部材（アームなど）の材料コストや組み付けコストが嵩む。
【０００５】
本発明が解決しようとする課題は、ホース巻取り機構を設ける必要がない人体局部洗浄装置を提供することにある。
【課題を解決するための手段】
【０００６】
上記課題を解決するために本発明にかかる人体局部洗浄装置は、ベース部材に対し進退動可能に支持された洗浄ノズルと、水源からの水を供給可能な部位である接続部と、一端が前記洗浄ノズルに接続されるとともに他端が前記接続部に接続され、当該一端と他端の間の少なくとも一部が湾曲した状態にあるホースと、を備え、前記洗浄ノズルを進退動させたときには、前記ホースが幅方向に直交する平面に沿った状態を維持しつつその湾曲した部分の曲率を変化させながら、当該洗浄ノズルとともにそれに接続された当該ホースの一端が進退動するように構成されていることを特徴とする。
【０００７】
駆動源によって回転する歯車に噛み合うラックであって、一端側が前記洗浄ノズルに固定され、当該洗浄ノズルに固定された部分よりも後方側に位置する部分の少なくとも一部が湾曲させられたフレキシブルラックを備え、前記ベース部材には、前記フレキシブルラックの湾曲した部分が係合する係合溝が形成されており、前記駆動源を駆動し、前記洗浄ノズルを進退動させたときには、前記フレキシブルラックが前記係合溝内をスライドしながら、当該洗浄ノズルとともにそれに接続されたホースの一端およびフレキシブルラックの一端が進退動するように構成されているとよい。
【０００８】
前記係合溝は前記ベース部材に形成された壁部に沿って形成されており、前記ホースは当該壁部の内周面より内側のホース収容空間内に配されているとよい。
【０００９】
前記ベース部材には、前記係合溝および前記ホース収容空間を覆うカバー部材が固定されているとよい。
【００１０】
また、駆動源によって回転する歯車に噛み合うラックであって、一端側が前記洗浄ノズルに固定され、当該洗浄ノズルに固定された部分よりも後方側に位置する部分の少なくとも一部が前記ホースに沿って湾曲させられたフレキシブルラックを備え、前記駆動源を駆動し、前記洗浄ノズルを進退動させたときには、前記ホースの湾曲した部分とともに当該フレキシブルラックの湾曲した部分の曲率が変化しながら、当該洗浄ノズルとともにそれに接続されたホースの一端およびフレキシブルラックの一端が進退動するように構成されているとよい。
【発明の効果】
【００１１】
本発明にかかる人体局部洗浄装置は、ホースが幅方向に直交する平面に沿った状態を維持しつつその湾曲した部分の曲率が変化することによって、洗浄ノズルとともに当該ホースの一端を進退動させる構成である。つまり、従来の装置が備えるホースの巻き取り機構が不要となり、コスト削減につながる。
【００１２】
洗浄ノズルに駆動源の動力を伝達する部材として一部が湾曲したフレキシブルラックを用い、そのフレキシブルラックの曲率を維持するための係合溝が設けられた構成とする場合、当該係合溝が形成される壁部の内周面より内側にホースが収容される構成とすればよい。これにより、ホースとフレキシブルラックの干渉を防止することができる。
【００１３】
上記ホースやフレキシブルラックを覆うカバー部材が設けられていれば、ホースやフレキシブルラックが外側にはみ出てしまうことを防止することができる。例えば、ホース内に洗浄水を流したとき、その圧力によってホースが暴れてしまうことや、洗浄ノズルが進退動する際にフレキシブルラックが係合溝から外れたりすることを防止することができる。
【００１４】
また、洗浄ノズルに駆動源の動力を伝達する部材として一部が湾曲したフレキシブルラックを用いる場合、その湾曲した部分の曲率を変化させることによって、洗浄ノズルとともに当該フレキシブルラックの一端が進退動するようにすれば、上記特許文献１に記載の装置に設けられるような、フレキシブルラックの湾曲した部分を一定の曲率に維持するための構成（フレキシブルラックの湾曲した部分が係合する溝等）が必要ない。また、このような曲率を維持するための構成が設けられていないため、洗浄ノズルとともに移動するフレキシブルラックと曲率を維持するための構成との間に摩擦（摺動）抵抗が生じない。つまり、エネルギ効率に優れる。
【図面の簡単な説明】
【００１５】
【図１】本発明の一実施形態にかかる人体局部洗浄装置が適用された便座の外観図である。
【図２】本発明の一実施形態にかかる人体局部洗浄装置の外観図である。
【図３】一方のカバー部材が取り外された状態の本発明の一実施形態にかかる人体局部洗浄装置の外観図である。
【図４】本発明の一実施形態にかかる人体局部洗浄装置の側面図であって、洗浄ノズルが原位置に位置した状態を示したものである。
【図５】本発明の一実施形態にかかる人体局部洗浄装置の側面図であって、洗浄ノズルが洗浄位置（前進端位置）に位置した状態を示したものである。
【図６】係合溝に係合されたフレキシブルラックを模式的に示した断面図（図３のＡ−Ａ線断面図）である。
【図７】変形例にかかる人体局部洗浄装置の側面図であって、洗浄ノズルが原位置に位置した状態を示したものである。
【図８】変形例にかかる人体局部洗浄装置の側面図であって、洗浄ノズルが洗浄位置（前進端位置）に位置した状態を示したものである。
【発明を実施するための形態】
【００１６】
以下、本発明の一実施形態にかかる人体局部洗浄装置１について、図１〜図６を参照しつつ詳細に説明する。なお、以下の説明において幅方向とは洗浄ノズル２０の幅方向に沿う方向（図示したＸ方向）をいい、前後方向とは洗浄ノズル２０が進退動作する方向に沿う方向（図示したＹ方向）をいい、上下方向とは幅方向および前後方向に直交する方向（図示したＺ方向）をいうものとする。上下方向は、重力方向に沿う方向であってもよいし、本実施形態のように重力方向に対して一定角度傾斜した方向であってもよい。
【００１７】
本実施形態にかかる人体局部洗浄装置１は、ベース部材１０と、洗浄ノズル２０と、ホース３０と、接続部４０と、フレキシブルラック５０と、を備える。以下、各構成について詳細に説明する。なお、特に明示した場合を除き、各部材の形状等は、洗浄ノズル２０が原位置に位置するときの形状等をいうものとする。かかる人体局部洗浄装置１は、図１に示すように便座Ｔの後方に設けられ、洗浄時にはノズルが前進し、使用者の局部を洗浄する。ベース部材１０はこれら各部材を支持するための部材であって、便器に対して取り付けられるベース板部１１およびこのベース板部１１の上側に設けられる支持台部１２を有する。
【００１８】
洗浄ノズル２０は、ベース部材１０に対して進退動可能に支持された部材である。この洗浄ノズル２０の先端側は、支持台部１２に形成されたノズル収容ケース１２１部に収容されている。本実施形態では、肛門用洗浄ノズルとビデ用洗浄ノズルとが幅方向に並んで設けられている。なお、肛門用洗浄ノズルとビデ用洗浄ノズルの基本的な違いは、洗浄水の噴出構造や接続されるホース３０の数といったものであり、以下で特に明示する場合を除き、両洗浄ノズル２０を区別することなく単に「洗浄ノズル２０」と称して本実施形態にかかる人体局部洗浄装置１を説明する。洗浄ノズル２０は、原位置（図２〜図４に示す状態）に位置するとき、その先端側の一部がノズル収容ケース１２１部に収容された状態にある。洗浄時には、ノズル収容ケース１２１の前端に形成された開口を通じて前進し、洗浄位置（図５に示す状態）に到達する。洗浄位置に到達後、洗浄ノズル２０の先端側上部に設けられた洗浄水噴出口より洗浄水が噴出される。本実施形態における洗浄ノズル２０は、水平方向に対して所定角度傾斜して、先端側が基端側よりも下方に位置するように設けられている。
【００１９】
ホース３０は、洗浄ノズル２０に洗浄水を供給するための供給管であって、変形可能な材料（例えばゴム材料）で形成される。ホース３０の一端は洗浄ノズル２０の後方に接続されている。本実施形態では、肛門用洗浄ノズルに二本のホース３０が、ビデ用洗浄ノズルに一本のホース３０が接続される。肛門用洗浄ノズル内には、二つの流路が形成されており、それぞれに対してホース３０が接続される。これにより、肛門用洗浄ノズルによる変化に富んだ洗浄態様が実現可能となっている。
【００２０】
本実施形態では、肛門用洗浄ノズルに接続された二本のホース３０は、幅方向に並ぶようにして一体化されている。つまり、ホース３０全体としてみれば、幅方向に平たい扁平形状である。別の見方をすれば、扁平形状のゴム材料に幅方向に並ぶ二本の流路が形成されてなるホース３０であるということがいえる。図示しないが、ビデ用洗浄ノズルに接続されるホース３０もこのような扁平形状（流路が一つのもの）となっている。
【００２１】
ホース３０の他端は接続部４０に接続されている。接続部４０は、洗浄ノズル２０の下側に設けられている。具体的には、本実施形態における洗浄ノズル２０は、水平方向に対して所定角度傾斜して、先端側が基端側よりも下方に位置するように設けられているところ、接続部４０は洗浄ノズル２０の基端側の重力方向における下側に設けられている。本実施形態における接続部４０は、流量調整バルブに設けられた継手である。接続部４０は、流量調節バルブ４１の本体部分から後側に向かって突出するような形状である（図２〜図５参照）。本実施形態では、接続部４０は水平方向に沿って位置する。ホース３０は、大まかに見ると、一端が洗浄ノズル２０に接続され、そのまま洗浄ノズル２０の後方から真っすぐ引き出され、後方でＵターンするように下方に湾曲して前方に向かい、その前方に向かった部分の端部である他端が水平方向に沿って位置する接続部４０に接続されるようにして引き回されている。このように、ホース３０は、洗浄ノズル２０側から辿ると、後方に向かって延び、下方に向かってＵターンし、前方に向かって延び、前後方向に沿って位置する接続部４０に繋がる、というように配され、幅方向に直交する平面（ＹＺ平面）に沿って位置する。
【００２２】
流量調節バルブ４１は、各ホース３０（各洗浄ノズル２０）に洗浄水を供給するか否か、供給する場合にはその流量を調節する。かかる流量調節バルブ４１には、洗浄ノズル２０に接続されたホース３０とは別の水源に接続されるホース（図示せず）が接続される。
【００２３】
フレキシブルラック５０は、駆動源の動力を洗浄ノズル２０に伝達する動力伝達機構の一つを構成する。フレキシブルラック５０の一端側は洗浄ノズル２０に固定されている。フレキシブルラック５０における、当該洗浄ノズル２０に固定された部分よりも後方側に位置する部分の一部は、下方に湾曲している。本実施形態では、ベース部材１０の支持台部１２には、フレキシブルラック５０が係合可能な係合溝１２２が形成されている。係合溝１２２は、所定の曲率の円弧形状に形成された部分を含む。フレキシブルラック５０は、板状に形成された板状部５１と、そこから突出した歯部５２を有する。歯部５２の幅は板状部５１の幅より小さく、フレキシブルラック５０の幅方向両側には、歯部５２が形成されていない部分が存在する。当該歯部５２が形成されていない部分の一方側が、上記係合溝１２２に係合される（図６参照）。つまり、フレキシブルラック５０は係合溝１２２に沿って配される。フレキシブルラック５０における湾曲した部分の曲率は、係合溝１２２の円弧形状に形成された部分の曲率と一致する。
【００２４】
フレキシブルラック５０における、洗浄ノズル２０に固定された部分と湾曲した部分の間には、出力歯車９１が噛み合っている。出力歯車９１は、駆動源であるモータ９２の動力を受けて回転する。このモータ９２から出力歯車９１までの動力伝達機構はどのようなものであってもよい。後述するように、出力歯車９１の回転によってフレキシブルラック５０が移動することにより、洗浄ノズル２０がその長手方向（前後方向）に進退動することになる。移動するフレキシブルラック５０は、上記係合溝１２２によってその湾曲した部分の形状が維持される。
【００２５】
ベース部材１０の支持台部１２における係合溝１２２が形成された部分は、幅方向外側に突出した壁部１２３となっている。換言すれば、円弧形状に形成された壁部１２３の先端から幅方向内側に窪んだ窪みが係合溝１２２であるということである。すなわち、係合溝１２２は壁部１２３に沿って形成されているということである。この壁部１２３の内周面より内側には、略前側の一部が開口した、厚みの小さい円筒形状の空間が形成される。具体的には、フレキシブルラック５０の板状部５１が接触する面の反対側の面が、当該空間を形成する面となる。上記ホース３０の一部は、この空間（以下ホース収容空間Ｓと称する）内に配される。具体的には、ホース３０の湾曲した部分が壁部１２３に沿うように配される。壁部１２３の高さは、ホース３０の外径よりも大きく形成されている。つまり、ホース収容空間Ｓ内に配されたホース３０は、壁部１２３の先端よりも幅方向外側に突出していない。
【００２６】
本実施形態では、このホース収容空間Ｓを幅方向外側から覆うカバー部材６０が設けられている。すなわち、カバー部材６０は、湾曲した部分を含むホース３０の少なくとも一部を幅方向外側から覆う。つまり、ホース３０の幅方向外側への移動は、カバー部材６０によって規制されている。後述の動作説明で説明するように、洗浄ノズル２０が前進すると、ホース３０はその湾曲した部分の曲率が大きくなるように変位することになる。カバー部材６０は、洗浄ノズル２０が洗浄位置に到達し、ホース３０の曲率が最も大きくなった状態であっても、ホース３０の少なくとも一部を幅方向外側から覆うことができるような形状に形成されている。
【００２７】
また、このカバー部材６０は、支持台部１２の壁部１２３に形成された係合溝１２２を幅方向外側から覆うように取り付けられている。つまり、係合溝１２２にはフレキシブルラック５０が係合されるため、カバー部材６０は湾曲した部分を含むフレキシブルラック５０の少なくとも一部を幅方向外側から覆う。つまり、ホース３０と同様に、フレキシブルラック５０の幅方向外側への移動は、カバー部材６０によって規制されている。後述の動作説明で説明するように、洗浄ノズル２０が前進する際、フレキシブルラック５０は少なくとも一部が係合溝１２２に係合された状態を維持しつつ、洗浄ノズル２０に固定された一端が洗浄ノズル２０とともに前進することになる。カバー部材６０は、洗浄ノズル２０が洗浄位置に到達し、フレキシブルラック５０が原位置から移動した場合であっても、フレキシブルラック５０の少なくとも一部を幅方向外側から覆うことができるような形状に形成されている。
【００２８】
上記構成を備える人体局部洗浄装置１は以下のように動作する。洗浄ノズル２０が原位置に位置している状態でモータ９２を一方に駆動（正転）させるとその動力は出力歯車９１を介してフレキシブルラック５０まで伝わる。フレキシブルラック５０は、洗浄ノズル２０に固定された一端が前進する方向に移動する。つまり、フレキシブルラック５０とともにそれに固定された洗浄ノズル２０が前進する。また、フレキシブルラック５０の他端は、係合溝１２２の円弧形状の部分に沿って、上側に向かって移動する。
【００２９】
洗浄ノズル２０が前進すると、それに接続されたホース３０が引っ張られる。つまり、洗浄ノズル２０の前進によって引っ張られたホース３０は、その湾曲した部分の曲率が大きく（曲率半径が小さく）なるように変位する。洗浄ノズル２０が前進すればするほど、ホース３０の湾曲した部分の曲率は大きくなっていき、洗浄ノズル２０が洗浄位置（前進端位置）に到達したときに当該湾曲した部分の曲率は最も大きくなる。このように曲率が変化しても、ホース３０が幅方向に直交する平面（ＹＺ平面）に沿った状態は維持される。このようにして、洗浄ノズル２０が洗浄位置まで到達する。洗浄ノズル２０が洗浄位置に到達した後、流量調節バルブ４１が動作し、洗浄水が所定の流量で洗浄ノズル２０に送られる。
【００３０】
洗浄終了後、モータ９２を他方に駆動（逆転）させるとその動力は出力歯車９１を介してフレキシブルラック５０まで伝わる。フレキシブルラック５０は、洗浄ノズル２０に固定された他端が後退する方向に移動する。つまり、フレキシブルラック５０とともにそれに固定された洗浄ノズル２０が後退する。また、フレキシブルラック５０の他端は、係合溝１２２の円弧形状の部分に沿って、下側に向かって移動する。洗浄ノズル２０が後退すると、それに接続されたホース３０の一端が後方に向かって移動する。つまり、洗浄ノズル２０が後退すればするほど、ホース３０は湾曲した部分の曲率を小さく（曲率半径を大きく）するように変位する。洗浄ノズル２０が原位置に戻ったとき、ホース３０の湾曲した部分の曲率は最も小さくなる。このようにして、洗浄ノズル２０が原位置に戻る。
【００３１】
以上説明した本実施形態にかかる人体局部洗浄装置１によれば次のような作用効果が奏される。
【００３２】
本実施形態にかかる人体局部洗浄装置１は、洗浄ノズル２０の進退動に伴って、幅方向に直交する平面に沿った状態を維持しつつ、ホース３０の湾曲した部分の曲率が変化する構成である。つまり、洗浄ノズル２０の進退動に伴うホース３０の一端の変位を、ホース３０自体の曲率の変化によって吸収する構成である。したがって、従来の装置に設けられるようなホース３０の巻き取り機構が不要となり、コスト削減につながる。
【００３３】
特に、本実施形態では、各洗浄ノズル２０に接続されたホース３０は幅方向に平たい扁平形状である。そのため、円筒形状のホース３０を採用した場合と比較し、上記のようにホース３０が曲率を変化させる際の抵抗力（反作用力）が小さい。すなわち、洗浄ノズル２０を進退動させるときのエネルギ（駆動源であるモータ９２に対する負荷）を抑制することができる。本実施形態の肛門洗浄用ノズルのように、ある洗浄ノズル２０に対して複数の洗浄水供給流路を構築する必要がある場合には、その複数の流路が幅方向に並ぶような態様とすることで、全体として扁平形状を有するホース３０を用いた構成とすればよい。
【００３４】
また、人体局部洗浄装置１は、洗浄ノズル２０に駆動源の動力を伝達する部材として一部が湾曲したフレキシブルラック５０を用い、そのフレキシブルラック５０の曲率を維持するための係合溝１２２が設けられた構成としている。そして、当該係合溝１２２が形成される壁部１２３の内側のホース収容空間Ｓ内にホース３０が収容される構成である。そのため、ホース３０とフレキシブルラック５０の干渉を防止することができる。具体的には、進退動する洗浄ノズル２０によって変位するホース３０に余裕をもたせようとすると、洗浄ノズル２０が原位置に位置するときにおけるホース３０にある程度の弛みが生じてしまうところ、上記壁部１２３が設けられているため、ホース３０が原位置に戻った際（ホース３０の曲率が最も小さくなった際）に、ホース３０とその外側に位置するフレキシブルラック５０が干渉してしまうことがない。つまり、壁部１２３は、フレキシブルラック５０の曲率を維持しつつ当該フレキシブルラック５０を洗浄ノズル２０とともにスムーズに移動させるための係合溝１２２が形成される構成であるとともに、ホース３０とフレキシブルラック５０の干渉を防止する構成であるともいえる。
【００３５】
そして、人体局部洗浄装置１には、上記ホース３０やフレキシブルラック５０を覆うカバー部材６０が設けられている。これにより、ホース３０やフレキシブルラック５０が外側にはみ出てしまうことを防止することができる。つまり、カバー部材６０によってホース３０やフレキシブルラック５０が幅方向外側から押さえられているから、洗浄ノズル２０が進退動した際にもホース３０やフレキシブルラック５０は幅方向に直交する平面（ＹＺ平面）に沿って確実に変位する。例えば、ホース３０内に洗浄水を流したとき、その圧力によってホース３０が暴れてしまうことや、洗浄ノズル２０が進退動する際にフレキシブルラック５０が係合溝１２２から外れたりすることを防止することができる。
【００３６】
以下、上記本発明の一実施形態にかかる人体局部洗浄装置１の変形例（変形例にかかる人体局部洗浄装置１ａ）について説明する。なお、以下では、上記人体局部洗浄装置１と異なる点についてのみ説明し、人体局部洗浄装置１と同様の構成が適用できる点については説明を省略する。
【００３７】
図７および図８に示す本変形例にかかる人体局部洗浄装置１ａは、フレキシブルラック５０の配置構造が上記人体局部洗浄装置１と異なる。フレキシブルラック５０は、その一端側が洗浄ノズル２０に固定されている。フレキシブルラック５０における、当該洗浄ノズル２０に固定された部分よりも後方側に位置する部分の一部は下方に湾曲し、フレキシブルラック５０の他端はそのままベース部材１０に設けられたフレキシブルラック固定部１２４に固定されている。このフレキシブルラック５０の湾曲した部分は、ホース３０の湾曲した部分の外側を周るような形状となる。
【００３８】
原位置に位置する洗浄ノズル２０を前進させると、一端が洗浄ノズル２０に接続されているホース３０は、その湾曲した部分の曲率を大きくするように変位する。同様に、一端が洗浄ノズル２０に接続されているフレキシブルラック５０も、その湾曲した部分の曲率を大きくするように変位する（図７に示す状態から図８に示す状態に変位する）。洗浄位置に位置する洗浄ノズル２０を後退させると、ホース３０は、その湾曲した部分の曲率を小さくするように変位する。同様に、一フレキシブルラック５０も、その湾曲した部分の曲率を小さくするように変位する（図８に示す状態から図７に示す状態に変位する）。
【００３９】
このように、洗浄ノズル２０を進退動させたときには、ホース３０の湾曲した部分とともに、フレキシブルラック５０の湾曲した部分が変位する。これにより、進退動する洗浄ノズル２０とともに、それに接続されたホース３０の一端およびフレキシブルラック５０の一端が進退動する。
【００４０】
本変形例にかかる人体局部洗浄装置１ａは、洗浄ノズル２０が進退動するに際し、フレキシブルラック５０の湾曲した部分の曲率が変化する構成、すなわち、洗浄ノズル２０の進退動に伴うフレキシブルラック５０の一端の変位を、フレキシブルラック５０自体の曲率の変化によって吸収する構成である。そのため、フレキシブルラック５０の湾曲した部分を一定の曲率に維持するための構成が必要なくなる。また、洗浄ノズル２０が進退動する際、フレキシブルラック５０がある別の部材にガイドされつつスライドする構成でないから、フレキシブルラック５０とその他の部材との間に摩擦（摺動）抵抗が生じるものではない。つまり、このような摩擦抵抗が生じることによるエネルギロス（駆動源であるモータ９２に対する負荷）を低減することができる。
【００４１】
以上、本発明の実施形態について詳細に説明したが、本発明は上記実施形態に何ら限定されるものではなく、本発明の要旨を逸脱しない範囲で種々の改変が可能である。
【符号の説明】
【００４２】
１、１ａ  人体局部洗浄装置
１０ベース部材
１２２  係合溝
１２３  壁部
Ｓ  ホース収容空間
２０  洗浄ノズル
３０  ホース
４０  接続部
５０  フレキシブルラック
６０  カバー部材
１２４  フレキシブルラック固定部
【図１】
2014221996.tif 000003
【図２】
2014221996.tif 000004
【図３】
2014221996.tif 000005
【図４】
2014221996.tif 000006
【図５】
2014221996.tif 000007
【図６】
2014221996.tif 000008
【図７】
2014221996.tif 000009
【図８】
2014221996.tif 000010